(57)【要約】【課題】ＩＳＤＮ回線を介して、中継装置が上位装置にアナログ専用回線の状況が含まれる情報を提供する。【解決手段】中継装置側音声送信部５１と、中継装置側音声受信部５２と、を備え、中継装置側音声送信部５１は、下位装置１７に、遠隔操作用信号と、音声信号と、を送信し、中継装置側音声受信部５２は、下位装置１７から、遠隔操作用信号と、音声信号と、を受信し、ＩＳＤＮ回線３で、フレームごとに、同期信号と、遠隔操作用信号と、音声信号とで構成されるデータを上位装置１３を介して制御卓１１に伝送するものであり、遠隔操作用信号に含まれる間引き不可能な信号及び間引き可能な信号のうち、間引き可能な信号をアナログ専用回線５の状況が含まれる情報に置換し、同期信号に応じて伝送する。【選択図】図１
2015149667.tif 000002
【特許請求の範囲】
【請求項１】
制御卓、上位装置、及び下位装置で構成される音声送受信システムに適用され、
前記上位装置と、前記下位装置と、の間に設けられ、
前記上位装置とはＩＳＤＮ回線で接続され、
前記下位装置とはアナログ専用回線で接続されている中継装置であって、
中継装置側音声送信部と、
中継装置側音声受信部と、
を備え、
前記中継装置側音声送信部は、
前記下位装置に、遠隔操作用信号と、音声信号と、を送信し、
前記中継装置側音声受信部は、
前記下位装置から、前記遠隔操作用信号と、前記音声信号と、を受信し、
前記ＩＳＤＮ回線で、フレームごとに、同期信号と、前記遠隔操作用信号と、前記音声信号とで構成されるデータを前記上位装置を介して前記制御卓に伝送するものであり、
前記遠隔操作用信号に含まれる間引き不可能な信号及び間引き可能な信号のうち、前記間引き可能な信号を前記アナログ専用回線の状況が含まれる情報に置換し、前記同期信号に応じて伝送する
ことを特徴とする中継装置。
【請求項２】
前記中継装置側音声受信部は、
前記下位装置に送信する制御信号と、前記下位装置から受信する監視信号と、を含めて前記間引き可能な信号を編成し、
前記間引き可能な信号に含まれる、前記制御信号の状態及び前記監視信号の状態に応じて、前記アナログ専用回線の回線断状態を第１の回線断として検出し、
前記下位装置から前記アナログ専用回線の回線断状態の検出結果を受信した場合、第２の回線断として検出し、
前記第１の回線断及び前記第２の回線断の少なくとも一方に関する情報を含めて前記制御卓に伝送する
ことを特徴とする請求項１に記載の中継装置。
【請求項３】
前記中継装置側音声送信部及び前記中継装置側音声受信部は、
第１の周波数と、第２の周波数とが設定され、
前記制御信号のＯＮ状態に前記第１の周波数を対応させ、
前記制御信号のＯＦＦ状態に前記第２の周波数を対応させ、
前記監視信号のＯＮ状態に前記第１の周波数を対応させ、
前記監視信号のＯＦＦ状態に前記第２の周波数を対応させ、
前記中継装置側音声受信部は、
前記第１の周波数に対応する信号レベル及び前記第２の周波数に対応する信号レベルの両方が予め設定された第１の閾値未満の場合、前記第１の回線断として検出する
ことを特徴とする請求項２に記載の中継装置。
【請求項４】
前記中継装置側音声受信部は、
第３の周波数が設定され、
前記下位装置で前記制御信号に対応する信号レベルが予め設定された前記第１の閾値未満であると判定された結果として、前記下位装置から前記第３の周波数に対応する信号レベルを受信し、前記第３の周波数に対応する信号レベルが予め設定された第２の閾値以上の場合、前記第２の回線断として検出する
ことを特徴とする請求項３に記載の中継装置。
【請求項５】
前記中継装置側音声送信部及び前記中継装置側音声受信部は、
前記第１の周波数、前記第２の周波数、及び前記第３の周波数が前記音声信号の周波数帯域より大きな周波数帯域に設定され、
前記第１の周波数、前記第２の周波数、及び前記第３の周波数より大きな第４の周波数帯域に前記回線断状態とは異なる状態が設定される
ことを特徴とする請求項４に記載の中継装置。
【請求項６】
前記中継装置側音声送信部は、
予め設定された周波数ごとに対応する信号レベルを発振する発振器を備え、
前記発振器は、
前記制御信号がＯＮ状態の場合、前記第１の周波数に対応する信号レベルを前記下位装置に供給し、
前記制御信号がＯＦＦ状態の場合、前記第２の周波数に対応する信号レベルを前記下位装置に供給する
ことを特徴とする請求項３〜５の何れか一項に記載の中継装置。
【請求項７】
前記中継装置側音声受信部は、
予め設定された周波数ごとに対応する信号レベルと、前記第１の閾値及び前記第２の閾値のそれぞれと、を比較するレベル検出処理部を備え、
前記レベル検出処理部は、
前記第１の周波数に対応する信号レベル及び前記第２の周波数に対応する信号レベルの両方が前記第１の閾値未満の場合、前記第１の回線断として検出し、
前記第３の周波数に対応する信号レベルが、前記第２の閾値以上の場合、前記第２の回線断として検出する
ことを特徴とする請求項６に記載の中継装置。
【請求項８】
制御卓、上位装置、及び下位装置で構成される音声送受信システムに適用され、
前記上位装置と、前記下位装置と、の間に設けられ、
前記上位装置とはＩＳＤＮ回線で接続され、
前記下位装置とはアナログ専用回線で接続されている中継装置で実行される音声送受信方法であって、
前記ＩＳＤＮ回線で、フレームごとに、同期信号と、遠隔操作用信号と、音声信号とで構成されるデータを前記上位装置を介して前記制御卓に伝送するものであり、
前記下位装置に、前記遠隔操作用信号と、前記音声信号と、を送信し、
前記下位装置から、前記遠隔操作用信号と、前記音声信号と、を受信し、
前記遠隔操作用信号に含まれる間引き不可能な信号及び間引き可能な信号のうち、前記間引き可能な信号を前記アナログ専用回線の状況が含まれる情報に置換し、前記同期信号に応じて伝送する
ことを特徴とする音声送受信方法。
【請求項９】
当該下位装置で前記アナログ専用回線の回線断状態を検出した場合、検出結果を前記中継装置に送信し、
前記下位装置に送信する制御信号と、前記下位装置から受信する監視信号と、を含めて前記間引き可能な信号を編成し、
前記間引き可能な信号に含まれる、前記制御信号の状態及び前記監視信号の状態に応じて、前記アナログ専用回線の回線断状態を第１の回線断として検出し、
前記下位装置から前記回線断状態の検出結果を受信した場合、第２の回線断として検出し、
前記第１の回線断及び前記第２の回線断の少なくとも一方に関する情報を含めて前記制御卓に伝送する
ことを特徴とする請求項８に記載の音声送受信方法。
【請求項１０】
第１の周波数と、第２の周波数とが設定され、
前記制御信号のＯＮ状態に前記第１の周波数を対応させ、
前記制御信号のＯＦＦ状態に前記第２の周波数を対応させ、
前記監視信号のＯＮ状態に前記第１の周波数を対応させ、
前記監視信号のＯＦＦ状態に前記第２の周波数を対応させ、
前記第１の周波数に対応する信号レベル及び前記第２の周波数に対応する信号レベルの両方が予め設定された第１の閾値未満の場合、前記第１の回線断として検出する
ことを特徴とする請求項９に記載の音声送受信方法。
【請求項１１】
第３の周波数が設定され、
前記制御信号に対応する信号レベルが予め設定された前記第１の閾値未満である場合、前記第３の周波数に対応する信号レベルを前記中継装置に送信し、
前記第３の周波数に対応する信号レベルが予め設定された第２の閾値以上の場合、前記第２の回線断として検出する
ことを特徴とする請求項１０に記載の音声送受信方法。
【請求項１２】
前記第１の周波数、前記第２の周波数、及び前記第３の周波数が前記音声信号の周波数帯域より大きな周波数帯域に設定され、
前記第１の周波数、前記第２の周波数、及び前記第３の周波数より大きな第４の周波数帯域に前記回線断状態とは異なる状態が設定される
ことを特徴とする請求項１１に記載の音声送受信方法。
【請求項１３】
前記制御信号がＯＮ状態の場合、前記第１の周波数に対応する信号レベルを前記下位装置に供給し、
前記制御信号がＯＦＦ状態の場合、前記第２の周波数に対応する信号レベルを前記下位装置に供給する
ことを特徴とする請求項１０〜１２の何れか一項に記載の音声送受信方法。
【請求項１４】
前記第１の周波数に対応する信号レベル及び前記第２の周波数に対応する信号レベルの両方が前記第１の閾値未満の場合、前記第１の回線断として検出し、
前記第３の周波数に対応する信号レベルが、前記第２の閾値以上の場合、前記第２の回線断として検出する
ことを特徴とする請求項１３に記載の音声送受信方法。
【請求項１５】
制御卓、上位装置、中継装置、及び下位装置で構成され、前記上位装置と、前記中継装置とがＩＳＤＮ回線で接続され、前記中継装置と、前記下位装置とがアナログ専用回線で接続されている音声送受信システムであって、
前記中継装置は、
前記下位装置に、遠隔操作用信号と、音声信号と、を送信し、
前記下位装置から、前記遠隔操作用信号と、前記音声信号と、を受信し、
前記ＩＳＤＮ回線で、フレームごとに、同期信号と、前記遠隔操作用信号と、前記音声信号とで構成されるデータを前記上位装置を介して前記制御卓に伝送するものであり、
前記遠隔操作用信号に含まれる間引き不可能な信号及び間引き可能な信号のうち、前記間引き可能な信号を前記アナログ専用回線の状況が含まれる情報に置換し、前記同期信号に応じて伝送する
ことを特徴とする音声送受信システム。
【請求項１６】
前記下位装置は、
当該下位装置で前記アナログ専用回線の回線断状態を検出した場合、検出結果を前記中継装置に送信し、
前記中継装置は、
前記下位装置に送信する制御信号と、前記下位装置から受信する監視信号と、を含めて前記間引き可能な信号を編成し、
前記間引き可能な信号に含まれる、前記制御信号の状態及び前記監視信号の状態に応じて、前記アナログ専用回線の回線断状態を第１の回線断として検出し、
前記下位装置から前記回線断状態の検出結果を受信した場合、第２の回線断として検出し、
前記第１の回線断及び前記第２の回線断の少なくとも一方に関する情報を含めて前記制御卓に伝送する
ことを特徴とする請求項１５に記載の音声送受信システム。
【請求項１７】
前記中継装置は、
第１の周波数と、第２の周波数とが設定され、
前記制御信号のＯＮ状態に前記第１の周波数を対応させ、
前記制御信号のＯＦＦ状態に前記第２の周波数を対応させ、
前記監視信号のＯＮ状態に前記第１の周波数を対応させ、
前記監視信号のＯＦＦ状態に前記第２の周波数を対応させ、
前記第１の周波数に対応する信号レベル及び前記第２の周波数に対応する信号レベルの両方が予め設定された第１の閾値未満の場合、前記第１の回線断として検出する
ことを特徴とする請求項１６に記載の音声送受信システム。
【請求項１８】
前記下位装置及び前記中継装置は、
第３の周波数が設定され、
前記下位装置は、
前記制御信号に対応する信号レベルが予め設定された前記第１の閾値未満である場合、前記第３の周波数に対応する信号レベルを前記中継装置に送信し、
前記中継装置は、
前記第３の周波数に対応する信号レベルが予め設定された第２の閾値以上の場合、前記第２の回線断として検出する
ことを特徴とする請求項１７に記載の音声送受信システム。
【請求項１９】
前記下位装置及び前記中継装置は、
前記第１の周波数、前記第２の周波数、及び前記第３の周波数が前記音声信号の周波数帯域より大きな周波数帯域に設定され、
前記第１の周波数、前記第２の周波数、及び前記第３の周波数より大きな第４の周波数帯域に前記回線断状態とは異なる状態が設定される
ことを特徴とする請求項１８に記載の音声送受信システム。
【請求項２０】
前記中継装置は、
予め設定された周波数ごとに対応する信号レベルを発振する発振器を備え、
前記発振器は、
前記制御信号がＯＮ状態の場合、前記第１の周波数に対応する信号レベルを前記下位装置に供給し、
前記制御信号がＯＦＦ状態の場合、前記第２の周波数に対応する信号レベルを前記下位装置に供給する
ことを特徴とする請求項１７〜１９の何れか一項に記載の音声送受信システム。
【請求項２１】
前記中継装置は、
予め設定された周波数ごとに対応する信号レベルと、前記第１の閾値及び前記第２の閾値のそれぞれと、を比較するレベル検出処理部を備え、
前記レベル検出処理部は、
前記第１の周波数に対応する信号レベル及び前記第２の周波数に対応する信号レベルの両方が前記第１の閾値未満の場合、前記第１の回線断として検出し、
前記第３の周波数に対応する信号レベルが、前記第２の閾値以上の場合、前記第２の回線断として検出する
ことを特徴とする請求項２０に記載の音声送受信システム。
【発明の詳細な説明】
【技術分野】
【０００１】
本発明は、中継装置、音声送受信方法、及び音声送受信システムに関し、特に、情報信号ビットを利用することで、ＩＳＤＮ回線を介して、中継装置が上位装置にアナログ専用回線の状況が含まれる情報を伝送することにより、制御卓にアナログ専用回線の状況を遠隔から監視させる中継装置、音声送受信方法、及び音声送受信システムに関する。
【背景技術】
【０００２】
従来、アナログ回線の状況を監視することが行われていた。例えば、アナログ回線に重畳させたパイロット信号の有無に応じて、アナログ回線が断線しているか否かを判定させるものがあった（例えば、特許文献１参照）。
【０００３】
また、音声信号と、制御信号及び監視信号等とを帯域分離することにより、各種データ伝送をさせつつ、音声通信を行わせているものがあった（例えば、特許文献２参照）。
【０００４】
また、音声信号及び制御信号の周波数帯域と、接点信号の周波数帯域とを分離することにより、円滑に音声通信を行わせているものがあった（例えば、特許文献３参照）。
【０００５】
また、ＩＳＤＮ回線の６４ｋｂｐｓの伝送速度を持つＢチャネルを３２ｋｂｐｓに２分割させ、何れか一方をＡＤＰＣＭ（Ａｄａｐｔｉｖｅ  Ｄｉｆｆｅｒｅｎｔｉａｌ  ＰＣＭ）で符号化した音声データに用いているものがあった（例えば、特許文献４参照）。
【０００６】
また、ＩＳＤＮ回線の６４ｋｂｐｓの伝送速度を持つＢチャネルのそれぞれを２分割することで４つの通話チャネルを形成し、３２ｋｂｐｓの伝送速度のＡＤＰＣＭで符号した信号を伝送させているものがあった（例えば、特許文献５参照）。
【０００７】
また、ＡＤＰＣＭで符号化したデータと、シリアルデータとを１つのフレームに多重化させ、伝送させているものがあった（例えば、特許文献６参照）。
【０００８】
また、ＩＳＤＮ回線におけるＢチャネルを圧縮させ、空いた領域にＤチャネルを割り当てることで、各種信号を伝送させているものがあった（例えば、特許文献７参照）。
【０００９】
また、ＩＳＤＮ回線の２Ｂ＋Ｄのチャネル構造のうち、２つのＢチャネルを半分にすることで４チャネルを使用可能とさせておき、音声通信の場合にはＡＤＰＣＭで符号化した音声信号を挿入させ、ディジタルデータ通信の場合には３２ｋｂｐｓの伝送速度のディジタルデータをそのまま挿入させるものがあった（例えば、特許文献８参照）。
【先行技術文献】
【特許文献】
【００１０】
【特許文献１】特開２００７−１３５０５３号公報（段落［００２０］）
【特許文献２】特開平８−１８５５８号公報（段落［００１７］）
【特許文献３】特開２０１０−８７７０５号公報（段落［００５３］）
【特許文献４】特開平７−２０２８３４号公報（請求項１）
【特許文献５】特開平７−１３１５２１号公報（段落［００１７］）
【特許文献６】特開平５−２５２３１５号公報（請求項１）
【特許文献７】特開平７−１５４３８６号公報（段落［００１４］）
【特許文献８】特開平７−２４５７７４号公報（段落［００１３］）
【発明の概要】
【発明が解決しようとする課題】
【００１１】
ここで、制御卓、上位装置、中継装置、及び下位装置を備え、上位装置と中継装置とがＩＳＤＮ回線で接続され、中継装置と下位装置とがアナログ専用回線で接続され、制御卓が下位装置を遠隔から監視するシステムを想定する。
【００１２】
上記で想定されるシステム構成の場合、従来技術では、制御卓に、中継装置と、下位装置との間に設けられているアナログ専用回線の状況を遠隔から監視させることができなかった。
【００１３】
換言すれば、従来技術は、ＩＳＤＮ回線を介して、中継装置が上位装置にアナログ専用回線の状況が含まれる情報を伝送することが望まれていた。
【課題を解決するための手段】
【００１４】
本発明の中継装置は、制御卓、上位装置、及び下位装置で構成される音声送受信システムに適用され、前記上位装置と、前記下位装置と、の間に設けられ、前記上位装置とはＩＳＤＮ回線で接続され、前記下位装置とはアナログ専用回線で接続されている中継装置であって、中継装置側音声送信部と、中継装置側音声受信部と、を備え、前記中継装置側音声送信部は、前記下位装置に、遠隔操作用信号と、音声信号と、を送信し、前記中継装置側音声受信部は、前記下位装置から、前記遠隔操作用信号と、前記音声信号と、を受信し、前記ＩＳＤＮ回線で、フレームごとに、同期信号と、前記遠隔操作用信号と、前記音声信号とで構成されるデータを前記上位装置を介して前記制御卓に伝送するものであり、前記遠隔操作用信号に含まれる間引き不可能な信号及び間引き可能な信号のうち、前記間引き可能な信号を前記アナログ専用回線の状況が含まれる情報に置換し、前記同期信号に応じて伝送するものである。
【００１５】
本発明の中継装置において、前記中継装置側音声受信部は、前記下位装置に送信する制御信号と、前記下位装置から受信する監視信号と、を含めて前記間引き可能な信号を編成し、前記間引き可能な信号に含まれる、前記制御信号の状態及び前記監視信号の状態に応じて、前記アナログ専用回線の回線断状態を第１の回線断として検出し、前記下位装置から前記アナログ専用回線の回線断状態の検出結果を受信した場合、第２の回線断として検出し、前記第１の回線断及び前記第２の回線断の少なくとも一方に関する情報を含めて前記制御卓に伝送するものである。
【００１６】
本発明の中継装置において、前記中継装置側音声送信部及び前記中継装置側音声受信部は、第１の周波数と、第２の周波数とが設定され、前記制御信号のＯＮ状態に前記第１の周波数を対応させ、前記制御信号のＯＦＦ状態に前記第２の周波数を対応させ、前記監視信号のＯＮ状態に前記第１の周波数を対応させ、前記監視信号のＯＦＦ状態に前記第２の周波数を対応させ、前記中継装置側音声受信部は、前記第１の周波数に対応する信号レベル及び前記第２の周波数に対応する信号レベルの両方が予め設定された第１の閾値未満の場合、前記第１の回線断として検出するものである。
【００１７】
本発明の中継装置において、前記中継装置側音声受信部は、第３の周波数が設定され、前記下位装置で前記制御信号に対応する信号レベルが予め設定された前記第１の閾値未満であると判定された結果として、前記下位装置から前記第３の周波数に対応する信号レベルを受信し、前記第３の周波数に対応する信号レベルが予め設定された第２の閾値以上の場合、前記第２の回線断として検出するものである。
【００１８】
本発明の中継装置において、前記中継装置側音声送信部及び前記中継装置側音声受信部は、前記第１の周波数、前記第２の周波数、及び前記第３の周波数が前記音声信号の周波数帯域より大きな周波数帯域に設定され、前記第１の周波数、前記第２の周波数、及び前記第３の周波数より大きな第４の周波数帯域に前記回線断状態とは異なる状態が設定されるものである。
【００１９】
本発明の中継装置において、前記中継装置側音声送信部は、予め設定された周波数ごとに対応する信号レベルを発振する発振器を備え、前記発振器は、前記制御信号がＯＮ状態の場合、前記第１の周波数に対応する信号レベルを前記下位装置に供給し、前記制御信号がＯＦＦ状態の場合、前記第２の周波数に対応する信号レベルを前記下位装置に供給するものである。
【００２０】
本発明の中継装置において、前記中継装置側音声受信部は、予め設定された周波数ごとに対応する信号レベルと、前記第１の閾値及び前記第２の閾値のそれぞれと、を比較するレベル検出処理部を備え、前記レベル検出処理部は、前記第１の周波数に対応する信号レベル及び前記第２の周波数に対応する信号レベルの両方が前記第１の閾値未満の場合、前記第１の回線断として検出し、前記第３の周波数に対応する信号レベルが、前記第２の閾値以上の場合、前記第２の回線断として検出するものである。
【００２１】
本発明の音声送受信方法は、制御卓、上位装置、及び下位装置で構成される音声送受信システムに適用され、前記上位装置と、前記下位装置と、の間に設けられ、前記上位装置とはＩＳＤＮ回線で接続され、前記下位装置とはアナログ専用回線で接続されている中継装置で実行される音声送受信方法であって、前記ＩＳＤＮ回線で、フレームごとに、同期信号と、遠隔操作用信号と、音声信号とで構成されるデータを前記上位装置を介して前記制御卓に伝送するものであり、前記下位装置に、前記遠隔操作用信号と、前記音声信号と、を送信し、前記下位装置から、前記遠隔操作用信号と、前記音声信号と、を受信し、前記遠隔操作用信号に含まれる間引き不可能な信号及び間引き可能な信号のうち、前記間引き可能な信号を前記アナログ専用回線の状況が含まれる情報に置換し、前記同期信号に応じて伝送するものである。
【００２２】
本発明の音声送受信方法において、当該下位装置で前記アナログ専用回線の回線断状態を検出した場合、検出結果を前記中継装置に送信し、前記下位装置に送信する制御信号と、前記下位装置から受信する監視信号と、を含めて前記間引き可能な信号を編成し、前記間引き可能な信号に含まれる、前記制御信号の状態及び前記監視信号の状態に応じて、前記アナログ専用回線の回線断状態を第１の回線断として検出し、前記下位装置から前記回線断状態の検出結果を受信した場合、第２の回線断として検出し、前記第１の回線断及び前記第２の回線断の少なくとも一方に関する情報を含めて前記制御卓に伝送するものである。
【００２３】
本発明の音声送受信方法において、第１の周波数と、第２の周波数とが設定され、前記制御信号のＯＮ状態に前記第１の周波数を対応させ、前記制御信号のＯＦＦ状態に前記第２の周波数を対応させ、前記監視信号のＯＮ状態に前記第１の周波数を対応させ、前記監視信号のＯＦＦ状態に前記第２の周波数を対応させ、前記第１の周波数に対応する信号レベル及び前記第２の周波数に対応する信号レベルの両方が予め設定された第１の閾値未満の場合、前記第１の回線断として検出するものである。
【００２４】
本発明の音声送受信方法において、第３の周波数が設定され、前記制御信号に対応する信号レベルが予め設定された前記第１の閾値未満である場合、前記第３の周波数に対応する信号レベルを前記中継装置に送信し、前記第３の周波数に対応する信号レベルが予め設定された第２の閾値以上の場合、前記第２の回線断として検出するものである。
【００２５】
本発明の音声送受信方法において、前記第１の周波数、前記第２の周波数、及び前記第３の周波数が前記音声信号の周波数帯域より大きな周波数帯域に設定され、前記第１の周波数、前記第２の周波数、及び前記第３の周波数より大きな第４の周波数帯域に前記回線断状態とは異なる状態が設定されるものである。
【００２６】
本発明の音声送受信方法において、前記制御信号がＯＮ状態の場合、前記第１の周波数に対応する信号レベルを前記下位装置に供給し、前記制御信号がＯＦＦ状態の場合、前記第２の周波数に対応する信号レベルを前記下位装置に供給するものである。
【００２７】
本発明の音声送受信方法において、前記第１の周波数に対応する信号レベル及び前記第２の周波数に対応する信号レベルの両方が前記第１の閾値未満の場合、前記第１の回線断として検出し、前記第３の周波数に対応する信号レベルが、前記第２の閾値以上の場合、前記第２の回線断として検出するものである。
【００２８】
本発明の音声送受信システムは、制御卓、上位装置、中継装置、及び下位装置で構成され、前記上位装置と、前記中継装置とがＩＳＤＮ回線で接続され、前記中継装置と、前記下位装置とがアナログ専用回線で接続されている音声送受信システムであって、前記中継装置は、前記下位装置に、遠隔操作用信号と、音声信号と、を送信し、前記下位装置から、前記遠隔操作用信号と、前記音声信号と、を受信し、前記ＩＳＤＮ回線で、フレームごとに、同期信号と、前記遠隔操作用信号と、前記音声信号とで構成されるデータを前記上位装置を介して前記制御卓に伝送するものであり、前記遠隔操作用信号に含まれる間引き不可能な信号及び間引き可能な信号のうち、前記間引き可能な信号を前記アナログ専用回線の状況が含まれる情報に置換し、前記同期信号に応じて伝送するものである。
【００２９】
本発明の音声送受信システムにおいて、前記下位装置は、当該下位装置で前記アナログ専用回線の回線断状態を検出した場合、検出結果を前記中継装置に送信し、前記中継装置は、前記下位装置に送信する制御信号と、前記下位装置から受信する監視信号と、を含めて前記間引き可能な信号を編成し、前記間引き可能な信号に含まれる、前記制御信号の状態及び前記監視信号の状態に応じて、前記アナログ専用回線の回線断状態を第１の回線断として検出し、前記下位装置から前記回線断状態の検出結果を受信した場合、第２の回線断として検出し、前記第１の回線断及び前記第２の回線断の少なくとも一方に関する情報を含めて前記制御卓に伝送するものである。
【００３０】
本発明の音声送受信システムにおいて、前記中継装置は、第１の周波数と、第２の周波数とが設定され、前記制御信号のＯＮ状態に前記第１の周波数を対応させ、前記制御信号のＯＦＦ状態に前記第２の周波数を対応させ、前記監視信号のＯＮ状態に前記第１の周波数を対応させ、前記監視信号のＯＦＦ状態に前記第２の周波数を対応させ、前記第１の周波数に対応する信号レベル及び前記第２の周波数に対応する信号レベルの両方が予め設定された第１の閾値未満の場合、前記第１の回線断として検出するものである。
【００３１】
本発明の音声送受信システムにおいて、前記下位装置及び前記中継装置は、第３の周波数が設定され、前記下位装置は、前記制御信号に対応する信号レベルが予め設定された前記第１の閾値未満である場合、前記第３の周波数に対応する信号レベルを前記中継装置に送信し、前記中継装置は、前記第３の周波数に対応する信号レベルが予め設定された第２の閾値以上の場合、前記第２の回線断として検出するものである。
【００３２】
本発明の音声送受信システムにおいて、前記下位装置及び前記中継装置は、前記第１の周波数、前記第２の周波数、及び前記第３の周波数が前記音声信号の周波数帯域より大きな周波数帯域に設定され、前記第１の周波数、前記第２の周波数、及び前記第３の周波数より大きな第４の周波数帯域に前記回線断状態とは異なる状態が設定されるものである。
【００３３】
本発明の音声送受信システムにおいて、前記中継装置は、予め設定された周波数ごとに対応する信号レベルを発振する発振器を備え、前記発振器は、前記制御信号がＯＮ状態の場合、前記第１の周波数に対応する信号レベルを前記下位装置に供給し、前記制御信号がＯＦＦ状態の場合、前記第２の周波数に対応する信号レベルを前記下位装置に供給するものである。
【００３４】
本発明の音声送受信システムにおいて、前記中継装置は、予め設定された周波数ごとに対応する信号レベルと、前記第１の閾値及び前記第２の閾値のそれぞれと、を比較するレベル検出処理部を備え、前記レベル検出処理部は、前記第１の周波数に対応する信号レベル及び前記第２の周波数に対応する信号レベルの両方が前記第１の閾値未満の場合、前記第１の回線断として検出し、前記第３の周波数に対応する信号レベルが、前記第２の閾値以上の場合、前記第２の回線断として検出するものである。
【発明の効果】
【００３５】
本発明は、情報信号ビットを利用することで、ＩＳＤＮ回線を介して、中継装置が上位装置にアナログ専用回線の状況が含まれる情報を伝送することにより、制御卓にアナログ専用回線の状況を遠隔から監視させることができるという効果を有する。
【図面の簡単な説明】
【００３６】
【図１】本発明の実施の形態１の前提となる音声送受信システム１の構成の一例を示す図である。
【図２】本発明の実施の形態１の前提となる音声送受信システム１に含まれる制御卓１１及び上位装置１３のそれぞれの送信機能構成例を示す図である。
【図３】本発明の実施の形態１の前提となる音声送受信システム１に含まれる制御卓１１及び受信用の上位装置１３のそれぞれの受信機能構成例を示す図である。
【図４】本発明の実施の形態１の前提となる音声送受信システム１に含まれる中継装置１５の送信機能構成例を示す図である。
【図５】本発明の実施の形態１の前提となる音声送受信システム１に含まれる中継装置１５の受信機能構成例を示す図である。
【図６】本発明の実施の形態１の前提となる音声送受信システム１に含まれる下位装置１７＿１の送信機能及び受信機能のそれぞれの構成例を示す図である。
【図７】本発明の実施の形態１の前提となる音声送受信システム１で送受信される通信フレームの構成例を示す図である。
【図８】本発明の実施の形態１の前提となる各種信号の周波数帯域の一例を説明する図である。
【図９】本発明の実施の形態１における音声送受信システム１に含まれるアナログ専用回線５の状態を監視するときに適用される１フレーム当たりのデータフォーマットの概略的構成例を説明する図である。
【図１０】本発明の実施の形態１における音声送受信システム１の構成の一例を示す図である。
【図１１】本発明の実施の形態１における音声送受信システム１に含まれる中継装置１５の送信機能構成例を示す図である。
【図１２】本発明の実施の形態１における音声送受信システム１に含まれる中継装置１５の受信機能構成例を示す図である。
【図１３】本発明の実施の形態１における音声送受信システム１に含まれる下位装置１７の送信機能及び受信機能のそれぞれの構成例を示す図である。
【図１４】本発明の実施の形態１における音声送受信システム１に含まれる上位装置１３の受信機能構成例を示す図である。
【図１５】本発明の実施の形態１における音声送受信システム１に含まれるアナログ専用回線５の状態を監視するときに適用されるデータフォーマットの概略的構成例をフレーム番号と対応させて説明する図である。
【図１６】本発明の実施の形態１における音声送受信システム１に含まれるアナログ専用回線５の状態を監視するときに適用されるデータフォーマットの概略的構成例を時系列で説明する図である。
【図１７】本発明の実施の形態１における制御信号及び監視信号のそれぞれの周波数帯域の一例を説明する図である。
【図１８】本発明の実施の形態１における下位装置１７で検出される回線断情報に対応する周波数帯域の一例を説明する図である。
【発明を実施するための形態】
【００３７】
以下、本発明の実施の形態１について、図面を用いて詳細に説明する。
【００３８】
実施の形態１．
＜概要＞
後述するように、音声送受信システム１は、情報信号ビットを利用することで、ＩＳＤＮ回線３を介して、中継装置１５が上位装置１３にアナログ専用回線５の状況が含まれる情報を伝送することにより、制御卓１１にアナログ専用回線５の状況を遠隔から監視させるものである。
【００３９】
＜前提技術の説明＞
図１は、本発明の実施の形態１の前提となる音声送受信システム１の構成の一例を示す図である。図１に示すように、音声送受信システム１は、制御卓１１、上位装置１３、中継装置１５、及び下位装置１７＿１〜下位装置１７＿３を備えている。上位装置１３と、中継装置１５とは、ＩＳＤＮ回線３で接続されている。なお、下位装置１７＿１〜下位装置１７＿３のそれぞれを特に区別しない場合、下位装置１７と称する。
【００４０】
音声送受信システム１は、上位装置１３と、中継装置１５との間では、ＩＳＤＮ回線３でデータ伝送を行う。例えば、音声送受信システム１は、音声信号をＡＤＰＣＭ（Ａｄａｐｔｉｖｅ  Ｄｉｆｆｅｒｅｎｔｉａｌ  ＰＣＭ）で符号化して３２ｋｂｐｓに圧縮し、ＩＳＤＮ回線３のＢ１チャネル及びＢ２チャネルに割り付けた場合、音声信号を３チャネルとし、音声信号以外の情報信号ビットを４ビットで構成し、データ伝送を行うことができるものである。
【００４１】
例えば、音声送受信システム１は、情報信号ビットのうちの１ビットを未使用とすれば、音声信号の３チャネルと、情報信号ビットの３ビットとを、ＩＳＤＮ回線３のＢ１チャネル及びＢ２チャネルに割り付け、データ伝送を行っていることとなる。
【００４２】
音声送受信システム１は、中継装置１５と、ＣＨ１の下位装置１７＿１との間とをアナログ専用回線５＿１で接続し、音声信号及び情報信号のデータ伝送を行っている。音声送受信システム１は、中継装置１５と、ＣＨ２の下位装置１７＿２との間とをアナログ専用回線５＿２で接続し、音声信号及び情報信号のデータ伝送を行っている。音声送受信システム１は、中継装置１５と、ＣＨ３の下位装置１７＿３との間とをアナログ専用回線５＿３で接続し、音声信号及び情報信号のデータ伝送を行っている。
【００４３】
なお、アナログ専用回線５＿１〜アナログ専用回線５＿３のそれぞれを特に区別しない場合、アナログ専用回線５と称する。
【００４４】
上記の説明から、中継装置１５は、下位装置１７との間をチャネルごとにアナログ専用回線５で接続し、音声信号及び情報信号のデータ伝送を行っていることとなる。
【００４５】
音声送受信システム１は、このようなデータ伝送システムにより、上位装置１３からＣＨ１の音声信号及び制御信号を下位装置１７＿１に含まれる音声送信装置６３にデータ伝送することができる。音声送受信システム１は、このようなデータ伝送システムにより、上位装置１３からＣＨ２の音声信号及び制御信号を下位装置１７＿２に含まれる音声送信装置７３にデータ伝送することができる。音声送受信システム１は、このようなデータ伝送システムにより、上位装置１３からＣＨ３の音声信号及び制御信号を下位装置１７＿３に含まれる音声送信装置８３にデータ伝送することができる。
【００４６】
つまり、音声送受信システム１は、上位装置１３から３チャネルの音声信号及び制御信号をチャネルごとの下位装置１７にデータ伝送することができ、遠隔で下位装置１７の制御を行うことができる。
【００４７】
音声送受信システム１は、下位装置１７＿１に含まれる音声受信装置６４からＣＨ１の音声信号及び監視信号を上位装置１３にデータ伝送することができる。音声送受信システム１は、下位装置１７＿２に含まれる音声受信装置７４からＣＨ２の音声信号及び監視信号を上位装置１３にデータ伝送することができる。音声送受信システム１は、下位装置１７＿３に含まれる音声受信装置８４からＣＨ３の音声信号及び監視信号を上位装置１３にデータ伝送することができる。
【００４８】
つまり、音声送受信システム１は、チャネルごとの下位装置１７から合計３チャネルの音声信号及び監視信号を上位装置１３にデータ伝送することができ、遠隔で下位装置１７の制御を行うことができる。
【００４９】
ここで、制御卓１１と、上位装置１３との間では、音声信号、制御信号、及び監視信号が伝達されると想定する。具体的には、音声信号、制御信号、及び監視信号のうち、音声信号は、例えば、制御卓１１と上位装置１３との間で送受信される。音声信号、制御信号、及び監視信号のうち、制御信号は、例えば、制御卓１１から上位装置１３へ送信される。音声信号、制御信号、及び監視信号のうち、監視信号は、例えば、上位装置１３から制御卓１１に送信される。
【００５０】
制御卓１１について説明する。制御卓１１は、図１に示すように、制御卓側音声送信部３１と、制御卓側音声受信部３２とを備えている。図２は、本発明の実施の形態１の前提となる音声送受信システム１に含まれる制御卓１１及び上位装置１３のそれぞれの送信機能構成例を示す図である。図２に示すように、制御卓側音声送信部３１は、ＣＨ１操作部１０１、ＣＨ２操作部１０２、ＣＨ３操作部１０３、ＣＨ１用の音声入力部１１１、ＣＨ２用の音声入力部１１２、及びＣＨ３用の音声入力部１１３を備えている。
【００５１】
ＣＨ１操作部１０１は、ＣＨ１用の下位装置１７＿１に搭載される音声送信装置６３を制御するためのスイッチであり、ＯＮ状態のとき、音声送信装置６３により音声信号が送出される。ＣＨ２操作部１０２は、ＣＨ２用の下位装置１７＿２に搭載される音声送信装置７３を制御するためのスイッチであり、ＯＮ状態のとき、音声送信装置７３により音声信号が送出される。ＣＨ３操作部１０３は、ＣＨ３用の下位装置１７＿３に搭載される音声送信装置８３を制御するためのスイッチであり、ＯＮ状態のとき、音声送信装置８３により音声信号が送出される。
【００５２】
つまり、ＣＨ１操作部１０１、ＣＨ２操作部１０２、及びＣＨ３操作部１０３のＯＮ状態の情報及びＯＦＦ状態の情報は、制御卓１１により制御信号として上位装置１３へ出力される。
【００５３】
ＣＨ１用の音声入力部１１１は、制御卓１１を運用する人の音声を例えばマイク等で電気信号に変換し、音声信号として音声送受信システム１内に入力する。入力された音声信号は、ＣＨ１の下位装置１７＿１に搭載される音声送信装置６３により他装置へ出力される。ＣＨ２用の音声入力部１１２は、制御卓１１を運用する人の音声を例えばマイク等で電気信号に変換し、音声信号として音声送受信システム１内に入力する。入力された音声信号は、ＣＨ２の下位装置１７＿２に搭載される音声送信装置７３により他装置へ出力される。ＣＨ３用の音声入力部１１３は、制御卓１１を運用する人の音声を例えばマイク等で電気信号に変換し、音声信号として音声送受信システム１内に入力する。入力された音声信号は、ＣＨ３の下位装置１７＿３に搭載される音声送信装置８３により他装置へ出力される。
【００５４】
つまり、音声入力部１１１〜音声入力部１１３で入力された音声の電気信号は、制御卓１１により音声信号として上位装置１３に出力される。
【００５５】
図３は、本発明の実施の形態１の前提となる音声送受信システム１に含まれる制御卓１１及び受信用の上位装置１３のそれぞれの受信機能構成例を示す図である。図３に示すように、制御卓側音声受信部３２は、ＣＨ１監視信号表示部１４１、ＣＨ２監視信号表示部１４２、ＣＨ３監視信号表示部１４３、ＣＨ１用の音声出力部１５１、ＣＨ２用の音声出力部１５２、及びＣＨ３用の音声出力部１５３を備えている。
【００５６】
ＣＨ１監視信号表示部１４１は、ＣＨ１の下位装置１７＿１に搭載される音声受信装置６４で音声信号を受信して検出したことを、制御卓１１の利用者に例えば図示しない表示器の点灯により通知する。ＣＨ２監視信号表示部１４２は、ＣＨ２の下位装置１７＿２に搭載される音声受信装置７４で音声信号を受信して検出したことを、制御卓１１の利用者に例えば図示しない表示器の点灯により通知する。ＣＨ３監視信号表示部１４３は、ＣＨ３の下位装置１７＿３に搭載される音声受信装置８４で音声信号を受信して検出したことを、制御卓１１の利用者に例えば図示しない表示器の点灯により通知する。
【００５７】
ここで、ＣＨ１監視信号表示部１４１〜ＣＨ３監視信号表示部１４３のそれぞれが出力して表示する情報は、上位装置１３から受信した監視信号に基づくものである。
【００５８】
ＣＨ１用の音声出力部１５１は、ＣＨ１の下位装置１７＿１に搭載される音声受信装置６４で外部から受信した音声信号を例えばスピーカ等に出力する。ＣＨ２用の音声出力部１５２は、ＣＨ２の下位装置１７＿２に搭載される音声受信装置７４で外部から受信した音声信号を例えばスピーカ等に出力する。ＣＨ３用の音声出力部１５３は、ＣＨ３の下位装置１７＿３に搭載される音声受信装置８４で外部から受信した音声信号を例えばスピーカ等に出力する。
【００５９】
つまり、音声出力部１５１〜音声出力部１５３で出力する音声信号は、上位装置１３から受信した音声信号を出力したものである。
【００６０】
次に、上位装置１３について説明する。図２及び図３に示すように、上位装置１３は、上位装置側音声送信部４１と、上位装置側音声受信部４２とを備えている。このうち、上位装置側音声送信部４１は、図２に示すように、制御信号編成部１２１、送信音声信号処理部１２３、及びＩＳＤＮ回線ドライバ部１２５を備えている。
【００６１】
制御信号編成部１２１は、制御卓１１からＣＨ１の制御信号、ＣＨ２の制御信号、及びＣＨ３の制御信号を受信し、２Ｂ＋ＤのＩＳＤＮ回線３のＢ１チャネルにｂ０ビット〜ｂ２ビットを生成し、ＩＳＤＮ回線ドライバ部１２５に出力する。
【００６２】
送信音声信号処理部１２３は、ＣＯＤＥＣ部１３１、ＣＯＤＥＣ部１３３、ＣＯＤＥＣ部１３５、ＡＤＰＣＭ変換部１３２、ＡＤＰＣＭ変換部１３４、及びＡＤＰＣＭ変換部１３６を備えている。
【００６３】
ＣＯＤＥＣ部１３１は、制御卓１１からアナログ音声信号であるＣＨ１の送信音声信号が入力され、デジタル音声信号に変換し、ＡＤＰＣＭ変換部１３２に出力する。ＣＯＤＥＣ部１３３は、制御卓１１からアナログ音声信号であるＣＨ２の送信音声信号が入力され、デジタル音声信号に変換し、ＡＤＰＣＭ変換部１３４に出力する。ＣＯＤＥＣ部１３５は、制御卓１１からアナログ音声信号であるＣＨ３の送信音声信号が入力され、デジタル音声信号に変換し、ＡＤＰＣＭ変換部１３６に出力する。
【００６４】
ＡＤＰＣＭ変換部１３２は、デジタル音声信号であるＣＨ１の送信音声信号をＡＤＰＣＭで符号化して圧縮したものをＢ１チャネルのｂ４ビット〜Ｂ１チャネルのｂ７ビットに付与する。ＡＤＰＣＭ変換部１３４は、デジタル音声信号であるＣＨ２の送信音声信号をＡＤＰＣＭで符号化して圧縮したものをＢ２チャネルのｂ０ビット〜Ｂ２チャネルのｂ３ビットに付与する。ＡＤＰＣＭ変換部１３６は、デジタル音声信号であるＣＨ３の送信音声信号をＡＤＰＣＭで符号化して圧縮したものをＢ２チャネルのｂ４ビット〜Ｂ２チャネルのｂ７ビットに付与する。
【００６５】
ＩＳＤＮ回線ドライバ部１２５は、Ｂ１チャネルのｂ０ビット〜Ｂ１チャネルのｂ７ビットに付与された情報と、Ｂ２チャネルのｂ０ビット〜Ｂ２チャネルのｂ７ビットに付与された情報とを、後述する通信フレームの構成に形成し、２Ｂ＋ＤのＩＳＤＮ回線３に出力する。
【００６６】
上位装置側音声受信部４２は、図３に示すように、監視信号分配部１６１、受信音声信号処理部１６３、及びＩＳＤＮ回線レシーバ部１６５を備えている。
【００６７】
ＩＳＤＮ回線レシーバ部１６５は、２Ｂ＋ＤのＩＳＤＮ回線３から後述する通信フレームの構成のデータが入力され、Ｂ１チャネルのｂ０ビット〜Ｂ１チャネルのｂ７ビットに付与された情報と、Ｂ２チャネルのｂ０ビット〜Ｂ２チャネルのｂ７ビットに付与された情報とを取得する。
【００６８】
ＩＳＤＮ回線レシーバ部１６５は、取得した情報のうち、Ｂ１チャネルのｂ０ビット〜Ｂ１チャネルのｂ２ビットを監視信号分配部１６１に出力する。ＩＳＤＮ回線レシーバ部１６５は、取得した情報のうち、Ｂ１チャネルのｂ４ビット〜Ｂ１チャネルのｂ７ビットをＡＤＰＣＭ復調部１７２に出力する。ＩＳＤＮ回線レシーバ部１６５は、取得した情報のうち、Ｂ２チャネルのｂ０ビット〜Ｂ２チャネルのｂ３ビットをＡＤＰＣＭ復調部１７４に出力する。ＩＳＤＮ回線レシーバ部１６５は、取得した情報のうち、Ｂ２チャネルのｂ４ビット〜Ｂ２チャネルのｂ７ビットをＡＤＰＣＭ復調部１７６に出力する。
【００６９】
ＡＤＰＣＭ復調部１７２は、Ｂ１チャネルのｂ４ビット〜Ｂ１チャネルのｂ７ビットに付与された情報を復調し、デジタル音声信号であるＣＨ１の受信音声信号として、ＣＯＤＥＣ部１７１に出力する。ＣＯＤＥＣ部１７１は、デジタル音声信号であるＣＨ１の受信音声信号をアナログ信号であるＣＨ１の受信音声信号に変換し、制御卓１１に出力する。
【００７０】
ＡＤＰＣＭ復調部１７４は、Ｂ２チャネルのｂ０ビット〜Ｂ２チャネルのｂ３ビットに付与された情報を復調し、デジタル音声信号であるＣＨ２の受信音声信号として、ＣＯＤＥＣ部１７３に出力する。ＣＯＤＥＣ部１７３は、デジタル音声信号であるＣＨ２の受信音声信号をアナログ信号であるＣＨ２の受信音声信号に変換し、制御卓１１に出力する。
【００７１】
ＡＤＰＣＭ復調部１７６は、Ｂ２チャネルのｂ４ビット〜Ｂ２チャネルのｂ７ビットに付与された情報を復調し、デジタル音声信号であるＣＨ３の受信音声信号として、ＣＯＤＥＣ部１７５に出力する。ＣＯＤＥＣ部１７５は、デジタル音声信号であるＣＨ３の受信音声信号をアナログ信号であるＣＨ３の受信音声信号に変換し、制御卓１１に出力する。
【００７２】
次に、中継装置１５について説明する。図４は、本発明の実施の形態１の前提となる音声送受信システム１に含まれる中継装置１５の送信機能構成例を示す図である。図５は、本発明の実施の形態１の前提となる音声送受信システム１に含まれる中継装置１５の受信機能構成例を示す図である。
【００７３】
図４及び図５に示すように、中継装置１５は、中継装置側音声送信部５１及び中継装置側音声受信部５２を備えている。図４に示すように、中継装置側音声送信部５１は、ＩＳＤＮ回線レシーバ部１８１、制御信号分配部１８２、送信音声信号処理部１８３、ＣＨ１のＦＤＭ信号変調部１８５、ＣＨ２のＦＤＭ信号変調部１８６、及びＣＨ３のＦＤＭ信号変調部１８７を備えている。
【００７４】
ＩＳＤＮ回線レシーバ部１８１は、２Ｂ＋ＤのＩＳＤＮ回線３から後述する通信フレームの構成のデータが入力され、Ｂ１チャネルのｂ０ビット〜Ｂ１チャネルのｂ７ビットに付与された情報と、Ｂ２チャネルのｂ０ビット〜Ｂ２チャネルのｂ７ビットに付与された情報とを取得する。
【００７５】
ＩＳＤＮ回線レシーバ部１８１は、取得した情報のうち、Ｂ１チャネルのｂ０ビット〜Ｂ１チャネルのｂ２ビットを制御信号分配部１８２に出力する。ＩＳＤＮ回線レシーバ部１８１は、取得した情報のうち、Ｂ１チャネルのｂ４ビット〜Ｂ１チャネルのｂ７ビットを送信音声信号処理部１８３のＡＤＰＣＭ復調部２０１に出力する。ＩＳＤＮ回線レシーバ部１８１は、取得した情報のうち、Ｂ２チャネルのｂ０ビット〜Ｂ２チャネルのｂ３ビットを送信音声信号処理部１８３のＡＤＰＣＭ復調部２０３に出力する。ＩＳＤＮ回線レシーバ部１８１は、取得した情報のうち、Ｂ２チャネルのｂ４ビット〜Ｂ２チャネルのｂ７ビットを送信音声信号処理部１８３のＡＤＰＣＭ復調部２０５に出力する。
【００７６】
制御信号分配部１８２は、Ｂ１チャネルのｂ０ビットをＣＨ１の制御信号としてＣＨ１のＦＤＭ信号変調部１８５に出力する。制御信号分配部１８２は、Ｂ１チャネルのｂ１ビットをＣＨ２の制御信号としてＣＨ２のＦＤＭ信号変調部１８６に出力する。制御信号分配部１８２は、Ｂ１チャネルのｂ２ビットをＣＨ３の制御信号としてＣＨ３のＦＤＭ信号変調部１８７に出力する。
【００７７】
ＡＤＰＣＭ復調部２０１は、Ｂ１チャネルのｂ４ビット〜Ｂ１チャネルのｂ７ビットに付与された情報を復調し、デジタル音声信号であるＣＨ１の送信音声信号としてＣＯＤＥＣ部２０２に出力する。ＣＯＤＥＣ部２０２は、デジタル音声信号であるＣＨ１の送信音声信号をアナログ信号であるＣＨ１の送信音声信号に変換し、ＣＨ１のＦＤＭ信号変調部１８５に出力する。
【００７８】
ＡＤＰＣＭ復調部２０３は、Ｂ２チャネルのｂ０ビット〜Ｂ２チャネルのｂ３ビットに付与された情報を復調し、デジタル音声信号であるＣＨ２の送信音声信号としてＣＯＤＥＣ部２０４に出力する。ＣＯＤＥＣ部２０４は、デジタル音声信号であるＣＨ２の送信音声信号をアナログ信号であるＣＨ２の送信音声信号に変換し、ＣＨ２のＦＤＭ信号変調部１８６に出力する。
【００７９】
ＡＤＰＣＭ復調部２０５は、Ｂ２チャネルのｂ４ビット〜Ｂ２チャネルのｂ７ビットに付与された情報を復調し、デジタル音声信号であるＣＨ３の送信音声信号としてＣＯＤＥＣ部２０６に出力する。ＣＯＤＥＣ部２０６は、デジタル音声信号であるＣＨ３の送信音声信号をアナログ信号であるＣＨ３の送信音声信号に変換し、ＣＨ３のＦＤＭ信号変調部１８７に出力する。
【００８０】
ＣＨ１のＦＤＭ信号変調部１８５は、第１ＯＳＣ２１１と、ＬＰＦ２１５と、加算回路と、を備えている。第１ＯＳＣ２１１は、制御信号分配部１８２からのＣＨ１の制御信号がＯＮ状態のとき、２９５０Ｈｚの信号を出力し、制御信号分配部１８２からのＣＨ１の制御信号がＯＦＦ状態のとき、２９５０Ｈｚの信号を出力しない。第１ＯＳＣ２１１の出力する周波数帯域は、後述する周波数多重化方式において、制御信号帯域（ΔＦ２）内である。
【００８１】
ＬＰＦ２１５は、後述する周波数多重化方式において、音声信号帯域（ΔＦ１）を通過させ、制御信号帯域（ΔＦ２）を阻止するローパス・フィルタである。よって、ＣＯＤＥＣ２０２から出力されるＣＨ１の送信音声信号は、ＬＰＦ２１５を通過することで、制御信号帯域（ΔＦ２）が阻止される。ＦＤＭ信号変調部１８５は、第１ＯＳＣ２１１から出力されるアナログ化したＣＨ１の制御信号と、ＬＰＦ２１５を通過したＣＨ１の送信音声信号とを、加算回路で加算することで、周波数多重化されたＣＨ１の送信音声信号及びＣＨ１の制御信号をＣＨ１のアナログ専用回線５＿１に出力する。
【００８２】
なお、ＣＨ２のＦＤＭ信号変調部１８６も同様の処理を行うことで、周波数多重化されたＣＨ２の送信音声信号及びＣＨ２の制御信号をＣＨ２のアナログ専用回線５＿２に出力する。また、ＣＨ３のＦＤＭ信号変調部１８７も同様の処理を行うことで、周波数多重化されたＣＨ３の送信音声信号及びＣＨ３の制御信号をＣＨ３のアナログ専用回線５＿３に出力する。
【００８３】
図５に示すように、中継装置側音声受信部５２は、ＣＨ１のＦＤＭ信号復調部２３１、ＣＨ２のＦＤＭ信号復調部２３２、ＣＨ３のＦＤＭ信号復調部２３３、監視信号編成部２４１、受信音声信号処理部２４３、及びＩＳＤＮ回線ドライバ部２４５を備えている。
【００８４】
受信音声信号処理部２４３は、ＣＯＤＥＣ部２７１、ＣＯＤＥＣ部２７３、ＣＯＤＥＣ部２７５、ＡＤＰＣＭ変換部２７２、ＡＤＰＣＭ変換部２７４、及びＡＤＰＣＭ変換部２７６を備えている。
【００８５】
ＣＨ１のＦＤＭ信号復調部２３１は、第１ＢＰＦ２５１、ＬＰＦ２５５、及びレベル検出処理部２６１を備えている。ＣＨ１のＦＤＭ信号復調部２３１は、ＣＨ１のアナログ専用回線５＿１から周波数多重化されたＣＨ１の受信音声信号とＣＨ１の監視信号とを第１ＢＰＦ２５１及びＬＰＦ２５５に入力する。
【００８６】
第１ＢＰＦ２５１は、例えば、２９００Ｈｚ以上３０００Ｈｚ未満の周波数帯域の信号を通過させ、それ以外の周波数帯域の信号を阻止するバンド・パス・フィルタである。監視信号は、ＯＮ状態のときに２９５０Ｈｚの信号で受信されるものであるので、第１ＢＰＦ２５１を通過し、レベル検出処理部２６１に出力される。
【００８７】
レベル検出処理部２６１は、アナログ信号レベルを監視し、アナログ信号がある一定の信号レベルを超えた場合、デジタル信号としてＯＮ信号を出力する。レベル検出処理部２６１は、ＣＨ１の監視信号をデジタル信号に変換し、監視信号編成部２４１に出力する。
【００８８】
ＬＰＦ２５５は、中継装置側音声送信部５１のＦＤＭ信号変調部１８５に内蔵されるＬＰＦ２１５と同様のローパス・フィルタであり、周波数多重化された受信音声信号の周波数帯域（ΔＦ１）を通過させ、監視信号帯域（ΔＦ２）を阻止するローパス・フィルタである。このようなフィルタ処理により、ＣＨ１の受信音声信号のみに制限され、ＬＰＦ２５５は、アナログ信号であるＣＨ１の受信音声信号をＣＯＤＥＣ部２７１に出力する。
【００８９】
ＣＨ２のＦＤＭ信号復調部２３２も同様な処理を行い、ＣＨ２の監視信号をデジタル信号に変換し、監視信号編成部２４１に出力し、アナログ信号であるＣＨ２の受信音声信号をＣＯＤＥＣ部２７３に出力する。
【００９０】
ＣＨ３のＦＤＭ信号復調部２３３も同様な処理を行い、ＣＨ３の監視信号をデジタル信号に変換し、監視信号編成部２４１に出力し、アナログ信号であるＣＨ３の受信音声信号をＣＯＤＥＣ部２７５に出力する。
【００９１】
ＣＯＤＥＣ部２７１は、ＣＨ１のＦＤＭ信号復調部２３１からアナログ音声信号であるＣＨ１の受信音声信号が入力され、デジタル信号に変換し、ＡＤＰＣＭ変換部２７２に出力する。ＣＯＤＥＣ部２７３は、ＣＨ２のＦＤＭ信号変調部２３２からアナログ音声信号であるＣＨ２の受信音声信号が入力され、デジタル信号に変換し、ＡＤＰＣＭ変換部２７４に出力する。ＣＯＤＥＣ部２７５は、ＣＨ３のＦＤＭ信号変調部２３３からアナログ音声信号であるＣＨ３の受信音声信号が入力され、デジタル信号に変換し、ＡＤＰＣＭ変換部２７６に出力する。
【００９２】
ＡＤＰＣＭ変換部２７２は、デジタル音声信号であるＣＨ１の受信音声信号をＡＤＰＣＭで符号化して圧縮したものをＢ１チャネルのｂ４ビット〜Ｂ１チャネルのｂ７ビットに付与する。ＡＤＰＣＭ変換部２７４は、デジタル音声信号であるＣＨ２の受信音声信号をＡＤＰＣＭで符号化して圧縮したものをＢ２チャネルのｂ０ビット〜Ｂ２チャネルのｂ３ビットに付与する。ＡＤＰＣＭ変換部２７６は、デジタル音声信号であるＣＨ３の受信音声信号をＡＤＰＣＭで符号化して圧縮したものをＢ２チャネルのｂ４ビット〜Ｂ２チャネルのｂ７ビットに付与する。
【００９３】
ＩＳＤＮ回線ドライバ部２４５は、Ｂ１チャネルのｂ０ビット〜Ｂ１チャネルのｂ７ビットに付与された情報と、Ｂ２チャネルのｂ０ビット〜Ｂ２チャネルのｂ７ビットに付与された情報とを、後述する通信フレームの構成に形成し、２Ｂ＋ＤのＩＳＤＮ回線３に出力する。
【００９４】
図４及び図５に示すように、上位装置１３と、中継装置１５との間では、音声信号、制御信号、及び監視信号が２Ｂ＋Ｄの構成であるＩＳＤＮ回線３を介して伝達される。音声信号、制御信号、及び監視信号のうち、音声信号は、例えば、上位装置１３と中継装置１５との間で送受信される。音声信号、制御信号、及び監視信号のうち、制御信号は、例えば、上位装置１３から中継装置１５へ送信される。音声信号、制御信号、及び監視信号のうち、監視信号は、例えば、中継装置１５から上位装置１３へ送信される。
【００９５】
次に、下位装置１７について説明する。図６は、本発明の実施の形態１の前提となる音声送受信システム１に含まれる下位装置１７＿１の送信機能及び受信機能のそれぞれの構成例を示す図である。図６に示すように、下位装置１７＿１は、下位装置側音声送信部６１、下位装置側音声受信部６２、音声送信装置６３、及び音声受信装置６４を備えている。ここで、下位装置１７＿１は、ＣＨ１用として外部との音声送受信を行い、下位装置１７＿２は、ＣＨ２用として外部との音声送受信を行い、下位装置１７＿３は、ＣＨ３用として外部との音声送受信を行うものと想定する。
【００９６】
ＣＨ１のＦＤＭ信号復調部２８１は、第１ＢＰＦ２９１、レベル検出処理部２９２、及びＬＰＦ２９３を備えている。ＣＨ１のＦＤＭ信号復調部２８１は、ＣＨ１のアナログ専用回線５＿１から周波数多重化された、ＣＨ１の送信音声信号と、ＣＨ１の制御信号とを第１ＢＰＦ２９１及びＬＰＦ２９３に入力し、出力信号を音声送信装置６３に出力する。
【００９７】
第１ＢＰＦ２９１は、２９００Ｈｚ以上３０００Ｈｚ未満の周波数帯域の信号を通過させ、それ以外の周波数帯域の信号を阻止するバンド・パス・フィルタである。制御信号は、ＯＮ状態のときに２９５０Ｈｚの信号で受信されるものであるので、第１ＢＰＦ２９１を通過し、レベル検出処理部２９２に出力される。
【００９８】
レベル検出処理部２９２は、アナログ信号レベルを監視し、アナログ信号がある一定の信号レベルを超えた場合、デジタル信号としてＯＮ信号を出力する。レベル検出処理部２９２は、ＣＨ１の制御信号をデジタル信号に変換し、音声送信装置６３に出力する。
【００９９】
ＬＰＦ２９３は、後述する周波数多重化方式で説明する音声信号帯域（ΔＦ１）を通過させ、制御信号帯域（ΔＦ２）を阻止するローパス・フィルタである。このようなフィルタ処理により、ＣＨ１の送信音声信号のみに制限され、ＣＨ１のＦＤＭ信号復調部２８１は、アナログ信号であるＣＨ１の受信音声信号を音声送信装置６３に出力する。
【０１００】
下位装置側音声受信部６２は、ＣＨ１のＦＤＭ信号変調部２８３を備え、音声受信装置６４からＣＨ１の監視信号とＣＨ１の受信音声信号とが入力され、これらを重畳したものをＣＨ１のアナログ専用回線５＿１に出力する。
【０１０１】
音声受信装置６４は、外部から音声信号を受信し、アナログ信号であるＣＨ１の受信音声信号をＣＨ１のＦＤＭ信号変調部２８３に出力する。音声受信装置６４は、外部から音声信号を受信したことを通知するＣＨ１の監視信号をＣＨ１のＦＤＭ信号変調部２８３に出力する。
【０１０２】
ＣＨ１のＦＤＭ信号変調部２８３は、第１ＯＳＣ３１１と、ＬＰＦ３１５とを備えている。第１ＯＳＣ３１１は、音声受信装置６４からのＣＨ１の監視信号がＯＮ状態のときに２９５０Ｈｚの信号を出力し、ＣＨ１の制御信号がＯＦＦ状態のときに２９５０Ｈｚの信号を出力しない。第１ＯＳＣ３１１の出力する信号の周波数帯域は、後述する周波数多重化方式で説明する監視信号帯域（ΔＦ２）内である。
【０１０３】
ＬＰＦ３１５は、前述した下位装置側音声送信部６１のＦＤＭ信号復調部２８１に内蔵されるＬＰＦ２９３と同様のローパス・フィルタであり、周波数多重化するため、受信音声信号の周波数帯域（ΔＦ１）のみ通過させ、受信音声信号の監視信号帯域（ΔＦ２）に該当する音声信号を阻止するローパス・フィルタである。
【０１０４】
第１ＯＳＣ３１１から出力されるアナログ化したＣＨ１の監視信号と、ＬＰＦ３１５を通過したＣＨ１の受信音声信号とを加算回路で加算し、周波数多重化されたＣＨ１の受信音声信号及びＣＨ１の監視信号をアナログ専用回線５＿１に出力する。なお、下位装置１７＿２及び下位装置１７＿３の内部構成は、下位装置１７＿１と同様であるので、その説明については省略する。
【０１０５】
次に、通信フレームの一例について説明する。図７は、本発明の実施の形態１の前提となる音声送受信システム１で送受信される通信フレームの構成例を示す図である。図７に示すように、通信フレームは、２Ｂ＋ＤのＩＳＤＮ回線３において、Ｂ１チャネル及びＢ２チャネルを用いて伝送されることが想定されている。
【０１０６】
具体的には、Ｂ１チャネルにおいて、ｂ０ビットにはＣＨ１の制御信号及び監視信号が付与される。Ｂ１チャネルにおいて、ｂ１ビットにはＣＨ２の制御信号及び監視信号が付与される。Ｂ１チャネルにおいて、ｂ２ビットにはＣＨ３の制御信号及び監視信号が付与される。Ｂ１チャネルにおいて、ｂ４ビット〜ｂ７ビットにはＣＨ１の送信音声信号がＡＤＰＣＭで符号化された信号として付与される。
【０１０７】
すなわち、ＡＤＰＣＭを用いた符号化により圧縮された分、上記で説明した送信音声信号以外の信号、例えば、制御信号及び監視信号をＢ１チャネルに付与することができる。
【０１０８】
Ｂ２チャネルにおいて、ｂ０ビット〜ｂ３ビットにはＣＨ２の送信音声信号がＡＤＰＣＭで符号化された信号として付与される。Ｂ２チャネルにおいて、ｂ４ビット〜ｂ７ビットにはＣＨ３の送信音声信号がＡＤＰＣＭで符号化された信号として付与される。
【０１０９】
次に、音声信号、制御信号、及び監視信号について説明する。音声信号、制御信号、及び監視信号は、アナログ専用回線５を介して、中継装置１５と、下位装置１７との間で伝送される。
【０１１０】
例えば、ＣＨ１の音声信号は、中継装置１５と、下位装置１７＿１との間で送受信される。ＣＨ２の音声信号は、中継装置１５と、下位装置１７＿２との間で送受信される。ＣＨ３の音声信号は、中継装置１５と、下位装置１７＿３との間で送受信される。
【０１１１】
例えば、ＣＨ１の制御信号は、中継装置１５から下位装置１７＿１に送信される。ＣＨ２の制御信号は、中継装置１５から下位装置１７＿２に送信される。ＣＨ３の制御信号は、中継装置１５から下位装置１７＿３に送信される。
【０１１２】
例えば、ＣＨ１の監視信号は、下位装置１７＿１から中継装置１５に送信される。ＣＨ２の監視信号は、下位装置１７＿２から中継装置１５に送信される。ＣＨ３の監視信号は、下位装置１７＿３から中継装置１５に送信される。
【０１１３】
次に、周波数多重化方式による音声信号、制御信号、及び監視信号の伝送について説明する。図８は、本発明の実施の形態１の前提となる各種信号の周波数帯域の一例を説明する図である。図８に示すように、音声信号帯域（ΔＦ１）は、低周波数の帯域、例えば、２７００Ｈｚの帯域が割り当てられている。一方、制御信号帯域及び監視信号帯域（ΔＦ２）は、音声信号帯域（ΔＦ１）よりも高い周波数の帯域、例えば２８００Ｈｚ以上が割り当てられている。例えば、制御信号又は監視信号には周波数２９５０Ｈｚが割り当てられる。
【０１１４】
このように、アナログ専用回線５を介して信号が伝送される場合、想定される信号に対応した周波数帯域が予め設定され、予め設定された周波数帯域に属する信号が検出されることで、各種信号が実現される。
【０１１５】
以上が本発明の実施の形態１の前提となる技術である。前提となる技術において、中継装置１５に接続されたアナログ専用回線５の回線断等がなく、システムが正常に稼働していることを制御卓１１から遠隔で既知したい場合がある。
【０１１６】
すなわち、中継装置１５において、アナログ専用回線５の状況、例えば、アナログ専用回線５の回線断を検出する方法として、例えば、２Ｂ＋ＤのＩＳＤＮ回線３のＢ１チャネル及びＢ２チャネルに割り付けた制御信号及び監視信号で使用している情報信号ビットに、アナログ専用回線５の回線断検出結果を付与し、上位装置１３及び制御卓１１に通知することができれば、制御卓１１でアナログ専用回線５の回線断検出を行うことが可能となる。
【０１１７】
しかし、アナログ専用回線５の回線断を検出するに際し、ＩＳＤＮ回線３の情報信号ビットは、既に制御及び監視に３ビットを割り当てている。よって、アナログ専用回線５の３回線分の回線断を割り当てる空きがない。このため、情報信号ビットの４ビットを効率的に使用し、ＩＳＤＮ回線３を介して、アナログ専用回線５の３回線分の回線断情報を上位装置１３にデータ伝送することが必要である。次に、そのようなデータ伝送を実現する本発明の実施の形態１について順に説明する。
【０１１８】
＜構成の説明＞
図９は、本発明の実施の形態１における音声送受信システム１に含まれるアナログ専用回線５の状態を監視するときに適用される１フレーム当たりのデータフォーマットの概略的構成例を説明する図である。図９に示すように、１フレームには、同期信号と、遠隔操作用信号と、音声信号とが含まれている。このうち、遠隔操作用信号は、例えば、情報信号ビットが付与されるものであって、その中には、間引き不可能信号と、間引き可能信号とが含まれている。
【０１１９】
よって、間引き可能信号を他の信号で置換することにより、例えば、アナログ専用回線監視信号を付与することで、遠隔からアナログ専用回線５の監視が可能となる。このとき、アナログ専用回線監視用信号は、送信頻度の少ないものであれば、間引き可能信号と置換したとしても大きな影響をシステム全体に与えることがない。
【０１２０】
つまり、送信頻度の少ないものであって、情報信号ビットのうち、間引き可能信号に対応するものをアナログ専用回線監視用信号に置換することができればよい。
【０１２１】
次に、システム構成について順に説明する。図１０は、本発明の実施の形態１における音声送受信システム１の構成の一例を示す図である。図１０では、上述したものに比べ、変更箇所について網掛けで表記した。例えば、制御卓側音声受信部３２、上位装置側音声受信部４２、中継装置側音声送信部５１、中継装置側音声受信部５２、下位装置側音声送信部６１、及び下位装置側音声受信部６２等である。
【０１２２】
図１１は、本発明の実施の形態１における音声送受信システム１に含まれる中継装置１５の送信機能構成例を示す図である。図１１に示すように、中継装置側音声送信部５１は、第１ＯＳＣ２１１と、第２ＯＳＣ２１２とが相違する構成となっている。
【０１２３】
具体的には、ＦＤＭ信号変調部１８５は、制御信号分配部１８２からのＣＨ１の制御信号がＯＮ状態の場合、第１ＯＳＣ２１１に、例えば、周波数２９８０Ｈｚの信号を出力させる。ＦＤＭ信号変調部１８５は、制御信号分配部１８２からのＣＨ１の制御信号がＯＦＦ状態の場合、第２ＯＳＣ２１２に、例えば、周波数２９２０Ｈｚの信号を出力させる。周波数２９８０Ｈｚの信号及び周波数２９２０Ｈｚの信号は加算されてからアナログ専用回線５＿１に出力される。
【０１２４】
これにより、ＣＨ１の制御信号のＯＮ状態及びＯＦＦ状態を意味する信号がアナログ専用回線５＿１を介してＣＨ１の下位装置１７＿１に送信する処理が実行されるので、アナログ専用回線５＿１上に回線断等の不具合があれば、ＣＨ１の下位装置１７＿１は、ＣＨ１の制御信号のＯＮ状態及びＯＦＦ状態の何れかを示す信号を得ることができない。
【０１２５】
よって、ＣＨ１の下位装置１７＿１は、ＣＨ１のアナログ専用回線５＿１の回線断検出を行うことができる。なお、ＣＨ２の下位装置１７＿２及びＣＨ３の下位装置１７＿３もＣＨ１の下位装置１７＿１と同様の構成であり、同様の動作を行うものであるため、ここではその説明については省略する。
【０１２６】
図１２は、本発明の実施の形態１における音声送受信システム１に含まれる中継装置１５の受信機能構成例を示す図である。図１２に示すように、中継装置側音声受信部５２は、上述したものに比べ、バンド・パス・フィルタが３つ設けられる点が相違する構成となっている。
【０１２７】
すなわち、第１ＢＰＦ２５１は、下位装置１７＿１から監視信号のＯＮ状態時に出力される、例えば、２９８０Ｈｚの信号を通過させるバンド・パス・フィルタである。第２ＢＰＦ２５２は、下位装置１７＿１から監視信号のＯＦＦ状態時に出力される、例えば、２９２０Ｈｚの信号を通過させるバンド・パス・フィルタである。第３ＢＰＦ２５３は、下位装置１７＿１でアナログ専用回線５＿１の回線断を検出時に出力される、例えば、３１４０Ｈｚの信号を通過させるバンド・パス・フィルタである。
【０１２８】
レベル検出処理部２６１は、第１ＢＰＦ２５１を通過した監視信号のＯＮ時帯域（ΔＦ３）及び第２ＢＰＦ２５２を通過した監視信号のＯＦＦ帯域（ΔＦ２）のそれぞれの信号レベルを監視し、監視信号のＯＮ時帯域（ΔＦ３）内の信号レベルが監視信号のＯＦＦ時帯域（ΔＦ２）内の信号レベルより高い場合は、監視信号編成部２４１に、デジタル信号としてＣＨ１の監視信号のＯＮ信号を出力する。
【０１２９】
レベル検出処理部２６１は、監視信号のＯＮ時帯域（ΔＦ３）内の信号レベルが監視信号のＯＦＦ時帯域（ΔＦ２）内の信号レベルより低い場合は、監視信号編成部２４１に、デジタル信号としてＣＨ１の監視信号のＯＦＦ信号を出力する。
【０１３０】
レベル検出処理部２６１は、監視信号のＯＮ時帯域（ΔＦ３）内の信号レベル及び監視信号のＯＦＦ時帯域（ΔＦ２）内の信号レベルが両帯域共に、予め設定された下限値を下まわった場合には、回線断と判定し、監視信号編成部２４１にデジタル信号としてＣＨ１の回線断のＯＮ信号を出力する。
【０１３１】
レベル検出処理部２６１は、第３ＢＰＦ２５３を通過した回線断信号帯域（ΔＦ４）内の信号レベルを監視し、信号レベルがある一定以上の信号レベルを有している場合には、中継装置１５から下位装置１７＿１に向かうアナログ専用回線５＿１の回線断を下位装置１７＿１が検出したと判定し、監視信号編成部２４１にデジタル信号としてＣＨ１の下位装置検出回線断のＯＮ信号を出力する。
【０１３２】
監視信号編成部２４１は、ＣＨ１〜ＣＨ３までの監視信号、ＣＨ１〜ＣＨ３までの回線断信号、及びＣＨ１〜ＣＨ３までの下位装置検出回線断信号を編成して、２Ｂ＋ＤのＩＳＤＮ回線３上を伝送する通信フレームのＢ１チャネルｂ０ビット〜ｂ３ビットに、図１５及び図１６で後述する通信フレームに従った情報を付与する。
【０１３３】
詳細については後述するが、図１５に示す第１の回線断は、ＣＨ１〜ＣＨ３までの回線断信号が付与される。また、図１５に示す第２の回線断は、ＣＨ１〜ＣＨ３までの下位装置検出回線断信号が付与される。第１の回線断及び第２の回線断のそれぞれのビットは、後述するように、監視信号を付与するフレームに対し、例えば、１８対１の比率でデータ伝送がされるが、監視信号と比較して、回線断信号は、即知性が低くても問題ない。
【０１３４】
図１３は、本発明の実施の形態１における音声送受信システム１に含まれる下位装置１７の送信機能及び受信機能のそれぞれの構成例を示す図である。図１３に示すように、上述と比べ、ＦＤＭ信号復調部２８１及びＦＤＭ信号変調部２８３が相違する構成となっている。
【０１３５】
ＣＨ１のＦＤＭ信号復調部２８１は、第１ＢＰＦ２９１、第２ＢＰＦ２９４、レベル検出処理部２９２、及びＬＰＦ２９３を備えている。
【０１３６】
第１ＢＰＦ２９１は、制御信号のＯＮ時に中継装置１５から出力される周波数２９８０Ｈｚの信号を通過させるバンド・パス・フィルタである。第２ＢＰＦ２９４は、制御信号のＯＦＦ時に中継装置１５から出力される周波数２９２０Ｈｚの信号を通過させるバンド・パス・フィルタである。
【０１３７】
レベル検出処理部２９２は、第１ＢＰＦ２９１を通過した制御信号のＯＮ時帯域（ΔＦ３）及び第２ＢＰＦ２９４を通過した制御信号のＯＦＦ時帯域（ΔＦ２）のようなそれぞれの信号レベルを監視し、制御信号のＯＮ時帯域（ΔＦ３）内の信号レベルが制御信号のＯＦＦ時帯域（ΔＦ２）内の信号レベルより高い場合は、音声送信装置６３に、デジタル信号としてＣＨ１の制御信号のＯＮ信号を出力する。
【０１３８】
レベル検出処理部２９２は、制御信号のＯＮ時帯域（ΔＦ３）内の信号レベルが制御信号のＯＦＦ時帯域（ΔＦ２）内の信号レベルより低い場合は、音声送信装置６３に、デジタル信号としてＣＨ１の制御信号ＯＦＦ信号を出力する。レベル検出処理部２９２は、制御信号のＯＮ時帯域（ΔＦ３）内の信号レベル及び制御信号のＯＦＦ時帯域（ΔＦ２）内の信号レベルが両帯域共に、予め設定された下限値を下まわった場合には、回線断と判定し、下位装置側音声受信部６２にデジタル信号としてＣＨ１の回線断のＯＮ信号を出力する。
【０１３９】
ＣＨ１のＦＤＭ信号変調部２８３は、第１ＯＳＣ３１１、第２ＯＳＣ３１２、第３ＯＳＣ３１３、及びＬＰＦ３１５を備えている。第１ＯＳＣ３１１は、音声受信装置６４からのＣＨ１の監視信号がＯＮ状態の場合、周波数２９８０Ｈｚの信号を出力する。第２ＯＳＣ３１２は、音声受信装置６４からのＣＨ１の監視信号がＯＦＦ状態の場合、周波数２９２０Ｈｚの信号を出力する。第３ＯＳＣ３１３は、ＣＨ１の回線断のＯＮ信号を受信した場合、下位装置検出回線断信号としてＣＨ１の第２の回線断信号を周波数３１４０Ｈｚで出力する。第１ＯＳＣ３１１の出力、第２ＯＳＣ３１２の出力、及び第３ＯＳＣ３１３の出力は、加算されてからＣＨ１のアナログ専用回線５＿１に出力される。
【０１４０】
このような構成により、中継装置１５側にて、ＣＨ１のアナログ専用回線５＿１の回線断検出を行うことができる。また、下位装置側音声送信部６１からのＣＨ１の回線断信号がＯＮ状態の場合、第３ＯＳＣ３１３から周波数３１４０Ｈｚの信号をＣＨ１のアナログ専用回線５＿１に出力する構成としている。このような構成により、中継装置１５は、下位装置１７＿１で回線断が検出されたことを判定することができる。
【０１４１】
図１４は、本発明の実施の形態１における音声送受信システム１に含まれる上位装置１３の受信機能構成例を示す図である。図１４に示すように、ＣＨ１中継装置検出回線断表示部３３１〜ＣＨ３下位装置検出回線断表示部３４３が相違する構成である。
【０１４２】
監視信号分配部１６１は、ＩＳＤＮ回線レシーバ部１６５からＩＳＤＮ回線３上を伝送する通信フレームのＢ１チャネルのｂ０ビット〜Ｂ１チャネルのｂ３ビットに付与されている情報が入力される。Ｂ１チャネルのｂ０ビット〜Ｂ１チャネルのｂ３ビットは、後述する図１５に示した通信フレームに従った情報で、ＣＨ１〜ＣＨ３までの監視信号、ＣＨ１〜ＣＨ３までの回線断信号、及びＣＨ１〜ＣＨ３までの下位装置検出回線断信号が付与されている。監視信号分配部１６１は、Ｂ１チャネルのｂ０ビット〜Ｂ１チャネルのｂ３ビットを各々に分解し、制御卓１１に出力する。
【０１４３】
制御卓側音声受信部３２は、ＣＨ１中継装置検出回線断表示部３３１、ＣＨ２中継装置検出回線断表示部３３２、ＣＨ３中継装置検出回線断表示部３３３、ＣＨ１下位装置検出回線断表示部３４１、ＣＨ２下位装置検出回線断表示部３４２、及びＣＨ３下位装置検出回線断表示部３４３が追加された構成となっている。
【０１４４】
ＣＨ１中継装置検出回線断表示部３３１は、上位装置１３からＣＨ１の第１の回線断の通知が入力され、中継装置１５でＣＨ１の回線断が検出されたことをランプ等で運用者に通知する。同様に、ＣＨ２中継装置検出回線断表示部３３２は、中継装置１５でＣＨ２の回線断が検出されたことを運用者に通知する。同様に、ＣＨ３中継装置検出回線断表示部３３３は、中継装置１５でＣＨ３の回線断が検出されたことを運用者に通知する。
【０１４５】
ＣＨ１下位装置検出回線断表示部３４１は、上位装置１３からＣＨ１の第２の回線断の通知が入力され、下位装置１７＿１でＣＨ１の回線断が検出されたことをランプ等で運用者に通知する。同様に、ＣＨ２下位装置検出回線断表示部３４２は、下位装置１７＿２でＣＨ２の回線断が検出されたことを運用者に通知する。同様に、ＣＨ３下位装置検出回線断表示部３４３は、下位装置１７＿３でＣＨ３の回線断が検出されたことを運用者に通知する。
【０１４６】
図１５は、本発明の実施の形態１における音声送受信システム１に含まれるアナログ専用回線５の状態を監視するときに適用されるデータフォーマットの概略的構成例をフレーム番号と対応させて説明する図である。図１６は、本発明の実施の形態１における音声送受信システム１に含まれるアナログ専用回線５の状態を監視するときに適用されるデータフォーマットの概略的構成例を時系列で説明する図である。
【０１４７】
具体的には、Ｂ１チャネルにおいて、ｂ０ビットには同期信号としてＦビットに相当するビットとして“Ａ”が付与される。Ｆビットは、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）のＸ．５０方式のフレームパターンであって、このフレームパターンにより受信側はフレーム番号を認識することが可能となっている。なお、上記の説明では、Ｆビットを同期信号に用いる一例について説明したが、各通信フレームにおいて、送信側の機器と、受信側の機器との間で同期がとれる形式であれば、特に限定するものではない。
【０１４８】
運用上、“Ａ”は、例えば、１のときアラームが無い状態であり、０のときアラームが有る状態であるというように、アラームの有無が識別されればよい。“Ａ”は、例えば、到来パルスの不在及びフレームアライメントのロス等に相当する意味が付与されるものであれば、ここでは特にそういったことに限定されるものではない。
【０１４９】
Ｂ１チャネルにおいて、ｂ１ビットには、ＣＨ１の制御信号、ＣＨ１の監視信号、及びＣＨ１の回線断検出情報が付与される。ただし、制御信号及び監視信号は、同期信号のＦビットが巡回する２０ビットの周期のうち、１８ビットのそれぞれに付与される。回線断検出情報は、同期信号のＦビットが巡回する２０ビットの周期のうち、２ビットに付与される。監視信号と比較し、回線断検出情報は、付与されるビット数の頻度が少ない。これにより、システム中において、回線断検出情報の即応性が不要のため、２０ビットの周期のうち、例えば、２ビットのそれぞれに付与されればよい。
【０１５０】
例えば、Ｂ１チャネルにおけるｂ１ビットを時系列にした場合を図１６に示す。図１６に示すように、同期信号であるｂ０ビットには、時間の経過と共に、Ａビットを開始ビットとして、“１”、“１”、“０”、“１”、“０”、“０”、“１”、“０”、“０”、“０”、“０”、“１”、“０”、“１”、“０”、“１”、“１”、“１”、“０”が順に付与されていく。ｂ０ビットに伴い、ＣＨ１のｂ１ビットには、“監視”、“第１の回線断”、“監視”、“監視”、“監視”、“監視”、“監視”、“監視”、“監視”、“監視”、“監視”、“第２の回線断”、“監視”、“監視”、“監視”、“監視”、“監視”、“監視”、“監視”、“監視”が順に付与されていく。なお、Ａビットと、“監視”とが最初のｂ０ビットとｂ１ビットとの対応関係である。
【０１５１】
つまり、図１５及び図１６に示すように、フレーム番号と、同期信号と、制御信号及び監視信号と、ＡＤＰＣＭで符号化された音声信号とは紐付けがされている。よって、同期信号から対応する信号が特定される。
【０１５２】
例えば、上位装置１３は、ＩＳＤＮ回線３を介して、通信フレームを受信し、受信した通信フレームのうち、同期信号に対応するｂ０ビットを参照することで、同期信号に紐付けされている各種信号に対応するｂ１ビット〜ｂ３ビットの種類を特定する。例えば、図１６に示すように、同期信号Ａビットの次に“第１の回線断”に関する情報が到来すると想定される場合、同期信号のｂ０ビットでｂ１ビットの意味が特定される。
【０１５３】
なお、図１５及び図１６の説明では、第１の回線断と、第２の回線断とが、一定の比率で監視信号と置換されて伝送される一例について説明したが、特にこれに限定されるものではない。例えば、第１の回線断が伝送され、第２の回線断が伝送されなくてもよい。また、例えば、第２の回線断が伝送され、第１の回線断が伝送されなくてもよい。つまり、間引き可能信号がアナログ専用回線５の状況が含まれる信号に置換されることで、アナログ専用回線５の状況が把握できるデータ構成であればよく、データの種類、数、及び構成等は特に限定されるものではない。
【０１５４】
Ｂ１チャネルにおいて、ｂ２ビットには、ＣＨ２の制御信号、ＣＨ２の監視信号、及びＣＨ２の回線断検出情報が付与される。ただし、制御信号及び監視信号は、同期信号のＦビットが巡回する２０ビットの周期のうち、１８ビットのそれぞれに付与される。また、回線断検出情報は、同期信号のＦビットが巡回する２０ビットの周期のうち、２ビットのそれぞれに付与される。
【０１５５】
Ｂ１チャネルにおいて、ｂ３ビットには、ＣＨ３の制御信号、ＣＨ３の監視信号、及びＣＨ３の回線断検出情報が付与される。ただし、制御信号及び監視信号は、同期信号のＦビットが巡回する２０ビットの周期のうち、１８ビットのそれぞれに付与される。また、回線断検出情報は、同期信号のＦビットが巡回する２０ビットの周期のうち、２ビットのそれぞれに付与される。
【０１５６】
Ｂ１チャネルにおいて、ｂ４ビット〜ｂ７ビットにはＣＨ１の送信音声信号がＡＤＰＣＭで符号化された信号が付与される。すなわち、ＡＤＰＣＭを用いた符号化により圧縮された分、上記で説明したような送信音声信号以外の信号、例えば、制御信号及び監視信号及び回線断情報がＢ１チャネルに付与されることができるのである。
【０１５７】
Ｂ２チャネルにおいて、ｂ０ビット〜ｂ３ビットにはＣＨ２の送信音声信号がＡＤＰＣＭで符号化された信号が付与される。また、Ｂ２チャネルにおいて、ｂ４ビット〜ｂ７ビットにはＣＨ３の送信音声信号が付与される。
【０１５８】
次に、各種信号の周波数帯域について説明する。図１７は、本発明の実施の形態１における制御信号及び監視信号のそれぞれの周波数帯域の一例を説明する図である。図１８は、本発明の実施の形態１における下位装置１７で検出される回線断情報に対応する周波数帯域の一例を説明する図である。
【０１５９】
音声信号帯域（ΔＦ１）は、低周波数の帯域、たとえば、２７００Ｈｚ以下の帯域が割り当てられる。制御信号のＯＮ時帯域及び監視信号のＯＮ時帯域（ΔＦ３）は、音声信号の帯域（ΔＦ１）よりも高い周波数の帯域、例えば、２９６０Ｈｚ以上３０００Ｈｚ未満に割り当てられる。制御信号のＯＦＦ時帯域及び監視信号のＯＦＦ時帯域（ΔＦ２）は、音声信号の帯域（ΔＦ１）よりも高い周波数の帯域、例えば２９００Ｈｚ以上２９４０Ｈｚ未満に割り当てられる。
【０１６０】
また、図１８に示すように、中継装置１５から下位装置１７に向かうアナログ専用回線５の回線断を検出したことを通知する回線断信号の帯域（ΔＦ４）が追加される。回線断信号の帯域（ΔＦ４）は、音声信号帯域（ΔＦ１）よりも高い周波数の帯域、例えば、３１００Ｈｚ以上３２００Ｈｚ未満に割り当てられる。
【０１６１】
このように、各信号に対応する周波数帯域が一意に割り当てられた構成であるため、音声送受信システム１は、周波数分割多重方式で各種信号を伝送させることができ、バンド・パス・フィルタ及びローパス・フィルタ等のフィルタ回路で適宜必要な信号を容易に抽出することができる。
【０１６２】
＜効果の説明＞
以上の説明により、音声送受信システム１は、ＩＳＤＮ回線３及びアナログ専用回線５のデータ伝送の通信フレームの構成を変更することで、アナログ専用回線５の回線断を中継装置１５及び下位装置１７で検出し、その検出結果を上位装置１３及び制御卓１１にデータ伝送をすることが可能となり、制御卓１１を使用する運用者へアナログ専用回線５の回線断を通知することが可能となる。
【０１６３】
例えば、音声送受信システム１は、情報信号ビットを利用することで、ＩＳＤＮ回線３を介して、中継装置１５が上位装置１３にアナログ専用回線５の状況が含まれる情報を伝送することにより、制御卓１１にアナログ専用回線５の状況を遠隔から監視させることができる。
【０１６４】
具体的には、情報信号ビットのうち、監視信号に対応する情報は間引き可能なものであるため、音声送受信システム１は、監視信号に対応する情報信号ビットをアナログ専用回線５の回線断の検出結果に同期信号に応じて一定の比率で置換する。これにより、音声送受信システム１は、制御卓１１にアナログ専用回線５の状況を伝達させることができるので、制御卓１１に遠隔からアナログ専用回線５の状況を監視させることができる。
【０１６５】
なお、上記の説明では、アナログ専用回線５の状況の一例として、回線断について説明したが、特にこれに限定されるものではない。例えば、制御卓１１は、アナログ専用回線５を介して、遠隔地にあるドアの開閉状態を監視してもよい。また、例えば、制御卓１１は、アナログ専用回線５を介して、遠隔地にある空気調和機の稼働状態を監視してもよい。何れの場合においても、音声送受信システム１は、情報信号ビットのうち、間引き可能なものを他の意味の信号に置換することにより、各種情報を監視することができる。この結果、情報信号ビットを効率良く利用することができ、ネットワーク資源を有効活用することができる。
【０１６６】
なお、上記の説明では、レベル検出処理部２６１は、監視信号のＯＮ時帯域（ΔＦ３）内の信号レベル及び監視信号のＯＦＦ時帯域（ΔＦ２）内の信号レベルが両帯域共に、予め設定された下限値を下まわった場合には、回線断と判定する旨の説明をしたが、特にこれに限定されない。
【０１６７】
例えば、監視信号のＯＮ時帯域（ΔＦ３）内の信号レベル及び監視信号のＯＦＦ時帯域（ΔＦ２）内の信号レベルのうち、監視信号のＯＮ時帯域（ΔＦ３）内の信号レベルの判断が不要な実装形態であれば、レベル検出処理部２６１は、監視信号のＯＦＦ時帯域（ΔＦ２）が予め設定された下限値を下回ったか否かだけで回線断を判定してもよい。
【０１６８】
また、例えば、監視信号のＯＮ時帯域（ΔＦ３）内の信号レベル及び監視信号のＯＦＦ時帯域（ΔＦ２）内の信号レベルのうち、監視信号のＯＦＦ時帯域（ΔＦ２）内の信号レベルの判断が不要な実装形態であれば、レベル検出処理部２６１は、監視信号のＯＮ時帯域（ΔＦ３）が予め設定された下限値を下回ったか否かだけで回線断を判定してもよい。
【０１６９】
つまり、監視信号のＯＮ時帯域（ΔＦ３）内の信号レベル及び監視信号のＯＦＦ時帯域（ΔＦ２）内の信号レベルを直接又は間接的に用いることで、回線断を判定する処理が重要であり、直接的に両帯域の監視信号を用いないで済む実装形態であれば、レベル検出処理部２６１は、監視信号のＯＮ時帯域（ΔＦ３）内の信号レベル及び監視信号のＯＦＦ時帯域（ΔＦ２）内の信号レベルの何れかで回線断を判断してもよい。
【０１７０】
なお、本実施の形態１の図面では各構成部材の大きさの関係が実際のものとは異なる場合がある。また、本実施の形態１の図面において、同一の符号を付記したものは、同一又はこれに相当するものであり、このことは明細書の全文において共通することとする。さらに、明細書全文に記載されている構成要素の形態は、あくまでも一例であって、これらの記載に限定されるものではない。
【符号の説明】
【０１７１】
１  音声送受信システム、３  ＩＳＤＮ回線、５、５＿１、５＿２、５＿３  アナログ専用回線、１１  制御卓、１３  上位装置、１５  中継装置、１７、１７＿１、１７＿２、１７＿３  下位装置、３１  制御卓側音声送信部、３２  制御卓側音声受信部、４１  上位装置側音声送信部、４２  上位装置側音声受信部、５１  中継装置側音声送信部、５２  中継装置側音声受信部、６１、７１、８１  下位装置側音声送信部、６２、７２、８２  下位装置側音声受信部、６３、７３、８３  音声送信装置、６４、７４、８４  音声受信装置、１０１  ＣＨ１操作部、１０２  ＣＨ２操作部、１０３  ＣＨ３操作部、１１１〜１１３  音声入力部、１２１  制御信号編成部、１２３  送信音声信号処理部、１２５  ＩＳＤＮ回線ドライバ部、１３１、１３３、１３５、１７１、１７３、２０２、１７５、２０４、２０６、２７１、２７３、２７５  ＣＯＤＥＣ部、１３２、１３４、１３６、２７２、２７４、２７６  ＡＤＰＣＭ変換部、１４１  ＣＨ１監視信号表示部、１４２  ＣＨ２監視信号表示部、１４３  ＣＨ３監視信号表示部、１５１〜１５３  音声出力部、１６１  監視信号分配部、１６３  受信音声信号処理部、１６５  ＩＳＤＮ回線レシーバ部、１７２、１７４、１７６、２０１、２０３、２０５  ＡＤＰＣＭ復調部、１８１  ＩＳＤＮ回線レシーバ部、１８２  制御信号分配部、１８３  送信音声信号処理部、１８５〜１８７  ＦＤＭ信号変調部、２１１、３１１  第１ＯＳＣ、２１２、３１２  第２ＯＳＣ、２１３  第３ＯＳＣ、２１５〜２１７  ＬＰＦ、２３１〜２３３  ＦＤＭ信号復調部、２４１  監視信号編成部、２４３  受信音声信号処理部、２４５  ＩＳＤＮ回線ドライバ部、２５１、２９１  第１ＢＰＦ、２５２、２９４  第２ＢＰＦ、２５３  第３ＢＰＦ、２５５〜２５７、２９３、３１５〜３１７  ＬＰＦ、２６１、２９２  レベル検出処理部、２８１  ＦＤＭ信号復調部、２８３  ＦＤＭ信号変調部、３１３  第３ＯＳＣ、３３１  ＣＨ１中継装置検出回線断表示部、３３２  ＣＨ２中継装置検出回線断表示部、３３３  ＣＨ３中継装置検出回線断表示部、３４１  ＣＨ１下位装置検出回線断表示部、３４２  ＣＨ２下位装置検出回線断表示部、３４３  ＣＨ３下位装置検出回線断表示部。
【図１】
2015149667.tif 000003
【図２】
2015149667.tif 000004
【図３】
2015149667.tif 000005
【図４】
2015149667.tif 000006
【図５】
2015149667.tif 000007
【図６】
2015149667.tif 000008
【図７】
2015149667.tif 000009
【図８】
2015149667.tif 000010
【図９】
2015149667.tif 000011
【図１０】
2015149667.tif 000012
【図１１】
2015149667.tif 000013
【図１２】
2015149667.tif 000014
【図１３】
2015149667.tif 000015
【図１４】
2015149667.tif 000016
【図１５】
2015149667.tif 000017
【図１６】
2015149667.tif 000018
【図１７】
2015149667.tif 000019
【図１８】
2015149667.tif 000020